【事件の表示】
　特願２０００−２２５３３２「移動網を利用した予約サービス提供方法および装置」拒絶査定不服審判事件〔平成１４年　２月　８日出願公開、特開２００２−　４１９２０〕について、次のとおり審決する。
【結　論】
　本件審判の請求は、成り立たない。
【理　由】
１．手続の経緯
　本件出願は、平成１２年７月２６日の出願であって、平成１６年３月１１日付で拒絶査定がなされ、これに対し、同年４月１４日に拒絶査定に対する審判請求がなされ、その後、当審より平成１９年１１月８日付で拒絶理由が通知され、これに対し、同年１２月２８日付で手続補正がされたものである。
　
２．本願発明
　本願の請求項１に係る発明（以下、「本願発明」という。）は、平成１９年１２月２８日付の手続補正により補正された明細書及び図面の記載から見て、その特許請求の範囲の請求項１に記載された、次のとおりのものである。
　
「ＧＰＳ内蔵携帯端末と予約センタとが移動網を介して接続されると共に、予約を受け付けることによってサービスを提供する予約受け入れ先と前記予約センタとがネットワークを介して接続され、
　前記ＧＰＳ内蔵携帯端末が取得した該ＧＰＳ内蔵携帯端末の現在の位置情報とともに該ＧＰＳ内蔵携帯端末にユーザにより入力された予約受け入れ先の予約状況の取得要求が前記移動網を介して予約センタに送られてくると、前記予約センタは、前記位置情報が示す現在位置に対し直近の予約受け入れ先の予約状況を前記ネットワークを介して収集し前記移動網を介して前記ＧＰＳ内蔵携帯端末へ送り、
　前記ＧＰＳ内蔵携帯端末で前記予約状況をもとにユーザにより決められて入力された予約要求決定内容が前記ＧＰＳ内蔵携帯端末から前記移動網を介して前記予約センタに送られてくると、前記予約センタは、前記ＧＰＳ内蔵携帯端末を識別して前記予約要求決定内容にかかる予約受け入れ先の予約結果を取得し、前記取得した予約結果を前記予約受け入れ先の位置情報とともに前記移動網を介して前記ＧＰＳ内蔵携帯端末へ送り、
　前記ＧＰＳ内蔵携帯端末は、該ＧＰＳ内蔵携帯端末の現在の位置情報と前記予約受け入れ先の位置情報とをもとに、該ＧＰＳ内蔵携帯端末の現在位置から前記予約受け入れ先までの経路を表示する移動網を利用した予約サービス提供方法。」
　
３．当審の判断
（１）引用例
（１−１）引用例１
　当審の拒絶の理由に引用された特開平１０−７８３３１号公報（以下、「引用例１」という。）には、図面とともに、下記の事項が記載されている。
　
（イ）「【０００１】
【発明の属する技術分野】本発明は、ナビゲーション装置と連携して駐車場の予約を行う駐車場予約システムに関するものである。」（段落【０００１】）
　
（ロ）「【００１２】本実施の形態の駐車場予約システムは、図１に示されるように、駐車場管理ホスト（駐車場管理装置）１、駐車場端末２及びナビゲーションシステム（ナビゲーション装置）３で構成されている。管理対象となる各駐車場に備えられた駐車場端末２と駐車場管理ホスト１とは専用回線で接続されており、駐車場端末２からは駐車場の空き駐車区画の数や後述の予約コードが駐車場管理ホスト１に送信され、駐車場管理ホスト１からは空き駐車区画の予約指示が駐車場端末２に送信される。ユーザの車輌に搭載されているナビゲーションシステム３は携帯電話を備え、電話回線で駐車場管理ホスト１や駐車場端末２に接続してデータ通信を行う。」（段落【００１２】）
　
（ハ）「【００１４】先ず、駐車場管理ホスト１は図２に示されるように、ＣＰＵ１１、ＲＯＭ１６、ＲＡＭ１７、インタフェース１８、キーボード１５、ＣＲＴ１２、モデム１３、ハードディスク１４がそれぞれバス１９によって接続され、相互にデータの伝送ができるように構成されている。この構成は一般的なコンピュータの構成と同じである。そして、モデム１３及び電話回線を利用してナビゲーションシステム３とデータ通信を行い、また、インタフェース１８には複数の駐車場端末２が接続でき、各端末と個別にデータの送受信が可能となっている。また、ＲＯＭ１６やハードディスク１４には、図５、図６のフローチャートで示した動作を駐車場管理ホスト１が行うためのプログラムが格納されており、ＣＰＵ１１はそこからプログラムを読み出して実行する。
【００１５】そして、ＲＯＭ１６内には、駐車場情報をユーザが指定した予約条件に基いて検索する空き駐車区画検索手段である駐車場検索プログラム１６０と、空き駐車区画の予約を行う空き駐車区画予約手段である駐車区画予約プログラム１６３と、予約した駐車場の位置情報を送信する位置情報送信手段である駐車場データ送信プログラム１６４が格納されている。また、駐車場検索プログラム１６０には、空き駐車区画のある駐車場で目的地から最も近い距離の駐車場を検索する最短距離駐車場検索手段である最短距離駐車場検索プログラム１６１と、目的地付近の空き駐車区画のある駐車場で最も駐車料金の安い駐車場を検索する最低料金駐車場検索手段である最低料金駐車場検索プログラム１６２が組み込まれている。さらに、プログラムの実行中等に発生した一時的な記憶が必要なデータはＲＡＭ１７に格納され、また、長期間の保存が必要とされるデータはハードディスク１４に格納される。」（段落【００１４】〜【００１５】）
　
（ニ）「【００１７】次に、駐車場端末２は、図３に示されるように、ＣＰＵ２１、ＲＯＭ２５、ＲＡＭ２６、インタフェース２４、キーボード２３、ＣＲＴ２２、モデム２０がそれぞれバス２７によって接続されている。この構成は一般的なコンピュータの構成と同じである。そして、インタフェース２４には、さらに、複数のゲート開閉装置２９、複数の駐車センサ２８が接続されて信号の伝送ができるように構成されている。ゲート開閉装置２９は、駐車場の各入り口に、駐車区画センサ２８は、駐車場の各駐車区画に設置されている。さらに、インタフェース２４は駐車場管理ホスト１に繋がっており、駐車場管理ホスト１とデータの送受信が可能となっている。また、ＲＯＭ２５には、図７のフローチャートで示した動作を駐車場端末２が行うためのプログラムが格納されており、ＣＰＵ２１はそこからプログラムを読み出して実行する。そして、ＲＯＭ２５内には空き駐車区画の予約を行う空き駐車区画予約手段である駐車区画予約プログラム２５１と、駐車場内の地図と空き駐車区画位置を送信する場内情報送信手段である駐車場地図送信プログラム２５２が格納されている。」（段落【００１７】）
　
（ホ）「【００２１】ナビゲーションシステム３は、図４に示されるように、ＣＰＵ３１、液晶表示装置３４、ＲＯＭ３６、ＲＡＭ３７、キーパネル３５、ＣＤ−ＲＯＭ３８、ＧＰＳ装置３２がバス３９によって接続され、相互にデータ伝送ができるように構成されている。この構成は一般的なナビゲーション装置の構成と同じである。また、バス３９にはモデム３３が接続されており、さらに、モデム３３には携帯電話３０が接続され、駐車場管理ホスト１との通信が可能になっており、車輌が走行中であっても無線電話を使った電話回線で駐車場管理ホスト１及び駐車場端末２とデータ通信を行うことができるようになっている。」（段落【００２１】）
　
（ヘ）「【００２２】ＲＯＭ３６には、図８のフローチャートで示した動作をナビゲーションシステム３が行うためのプログラムが格納されており、ＣＰＵ３１はそこからプログラムを読み出して実行する。そして、ＲＯＭ３６内には、車輌の誘導先である目的地を駐車場の位置に変更する駐車場位置設定手段である駐車場位置設定プログラム３６１と、駐車場内で空き駐車区画まで車輌の誘導を行う駐車場内誘導手段である駐車場内誘導プログラム３６２と、目的地の位置情報を含む予約条件を駐車場管理システムに伝える予約条件伝達手段である予約条件送信プログラム３６３と、駐車場の位置情報を受信する位置情報受信手段である駐車場データ受信プログラム３６４と、駐車場内の地図と空き駐車区画位置を受信する場内情報受信手段である駐車場地図受信プログラム３６５とが格納されている。さらに、プログラムの実行中に発生した一時的な記憶が必要なデータはＲＡＭ３７に格納されるようになっている。
【００２３】そして、ＧＰＳ装置３２は、人工衛星から送信された信号から現在位置を割り出して出力する。ＣＤ−ＲＯＭ３８には地図データが入っている。ＣＰＵ３１は、ＧＰＳ装置３２からの現在位置を基に、現在位置周辺の地図をＣＤ−ＲＯＭ３８から読み出して液晶表示装置３４に表示したり、目的地への経路の計算に利用したりする。キーパネル３５からはユーザの指示をＣＰＵ３１に伝え、それにより、ユーザはナビゲーションシステム３を制御できる。液晶表示装置３４はユーザの指示により地図や目的地への経路等が表示されるようになっている。」（段落【００２２】〜【００２３】）
　
（ト）「【００２４】次に、駐車場予約システムの動作をフローチャートに基づいて説明する。
【００２５】駐車場管理ホスト１は図５のフローチャートに示されるように動作する。先ず、Ｓ１（Ｓはステップを示す。以下同様）において、ナビゲーションシステム３から回線接続要求が来ていないか否かを調べ、来ていなければ、Ｓ２へ進み空き駐車場の空き駐車区画数のチェックを行う。空き駐車場のチェックはインタフェース１８に接続されている全ての駐車場端末２に対して順番に指示が出され、指示を受けた駐車場端末２は後述の図７の動作を行って空き駐車場の空き駐車区画数を割り出し、インタフェース２４から駐車場管理ホスト１のインタフェース１８に送信してくるので、駐車場管理ホスト１は送信されてきた空き駐車場の空き駐車区画数に送り先の駐車場の駐車場識別番号を付加し、空き駐車区画数リストとしてＲＡＭ１７に格納する。常時この動作が繰り返され、それにより駐車場管理ホスト１はＲＡＭ１７にある空き駐車区画数リストによりどの駐車場に何台分の空き駐車区画があるのかを常に把握することができる。
【００２６】Ｓ１で回線接続要求が来ている場合は、Ｓ３へ進んで電話を繋ぎ、モデム１３でナビゲーションシステム３とデータ通信を可能にするために通信回線を接続する。そして、Ｓ４でナビゲーションシステム３から、空き駐車場を検索する条件となる目的地の位置と予約条件データとを受信する。予約条件データは、ナビゲーションシステム３に予めユーザが設定しておけるもので、距離優先か料金優先、予約内容確認の有無、料金の上限、距離の上限で構成されており、一度ユーザが設定しておけば、以降はその条件に従うことにより少ない手間で駐車場の予約が実行できる。
【００２７】Ｓ５の空き駐車場検索で、駐車場管理ホスト１は図６のフローチャートにあるような方法で、ハードディスク１４に格納されている各駐車場のデータと、ＲＡＭ１７にある空き駐車区画数リスト、目的地、予約条件データから空き駐車場を検索する。このステップは駐車場検索プログラム１６０によって行われる。
【００２８】先ず、Ｓ２１で予約条件データの距離優先か料金優先かを調べる。距離優先の場合、Ｓ２２へ進みハードディスク１４にある各駐車場の駐車料金を調べ、予約条件データの料金の上限以下のものだけをリストアップする。次に、Ｓ２３でリストアップした駐車場の位置と目的地の間の距離を計算し、Ｓ２４で距離が短い順に並べ替える。そして、Ｓ２５で順番に空き駐車区画数を調べ、空き駐車区画数が０でないものを探す。発見した場合、Ｓ２６で目的地と駐車場の間の距離と予約条件データの距離の上限とを比較し、距離の上限以内であれば、Ｓ３３でその駐車場の駐車場識別番号をＲＡＭ１７に格納して処理を終了する。距離の上限を超えている場合にはＳ３４へ進み、ＲＡＭ１７には検索失敗を示す駐車場識別番号である−１を格納して処理を終了する。このＳ２２からＳ２６までのステップは最短距離駐車場検索プログラム１６１によって行われる。
【００２９】Ｓ２１で予約条件データが料金優先の場合、Ｓ２７へ進み、ハードディスク１４にある各駐車場の駐車場位置と目的地との間の距離を計算し、Ｓ２８で距離が短い順に並べ替える。そして、Ｓ２９で予約条件データの距離の上限と比較し、距離の上限以内のものだけをリストアップする。そして、次に、Ｓ３０でそれ等を料金が安い順に並べ替え、Ｓ３１で安い順番に空き駐車区画数を調べ、空き駐車区画数が０でないものを探す。発見した場合、Ｓ３２で目的地の駐車料金と予約条件データの料金の上限とを比較し、料金の上限以下であれば、Ｓ３３でその駐車場の駐車場識別番号をＲＡＭ１７に格納して処理を終了する。料金の上限を超えている場合にはＳ３４へ進み、ＲＡＭ１７には検索失敗を示す駐車場識別番号である−１を格納して処理を終了する。このＳ２７からＳ３２までのステップは、最低料金駐車場検索プログラム１６２によって行われる。
【００３０】検索が終了すると、検索結果を図５のＳ６で検索結果をナビゲーションシステム３に送信する。送信内容は、ＲＡＭ１７へ格納した駐車場識別番号の付いている駐車場の駐車場名、駐車場位置、その駐車場に設置されている駐車場端末２の電話番号、目的地からの距離、駐車料金であるが、Ｓ５で検索失敗を示す−１が駐車場識別番号としてＲＡＭ１７に格納されている場合は、該当する駐車場なしとして空白がナビゲーションシステム３に送信される。このＳ６のステップは駐車場データ送信プログラム１６４によって行われる。
【００３１】ナビゲーションシステム３は、予約条件データが予約内容確認有りとなっている場合には、駐車場管理ホスト１から送られてきた空き駐車区画のある駐車場の駐車場名、駐車場位置、目的地からの距離、駐車料金を液晶表示装置３４に表示し、検索結果をユーザに提示して、予約の承認を待つ。キーパネル３５からユーザが承認を伝えた場合、ナビゲーションシステム３は予約実行の指示を駐車場管理ホスト１に送信する。また、非承認の場合には、予約取り消しの指示を駐車場管理ホスト１に送信する。
【００３２】駐車場管理ホスト１は、Ｓ７でナビゲーションシステム３からの予約指示を受信し、予約指示が予約実行であれば、Ｓ８からＳ９へ進み、予約取り消しであれば、Ｓ８からＳ１４へ進む。
【００３３】Ｓ９で駐車場管理ホスト１は、乱数により４桁の数字を生成し、暗証番号とする。そして、Ｓ１０でＲＡＭ１７へ格納した駐車場識別番号を持つ駐車場の駐車場端末２にインタフェース１８から暗証番号と共に予約の指示を送る。駐車場端末２は、予約指示が送られてくると、後述の動作を行って空き駐車区画の番号を選択し、選択した駐車区画の番号を駐車場管理ホスト１に送信してくる。そのため、駐車場管理ホスト１は、Ｓ１１で駐車区画の番号を受信して、Ｓ１２でＲＡＭ１７にある駐車場識別番号の付けられている駐車場の空き駐車区画数を１つ減らし、Ｓ１３で駐車場端末２から送信されてきた駐車区画の番号に暗証番号を付けた予約コードをナビゲーションシステム３に送信する。このＳ９からＳ１３までのステップは、駐車区画予約プログラム１６３によって行われる。
【００３４】そして、Ｓ１４では予約動作の終了を受けると、電話を切って通信回線を切断し、Ｓ１に戻って以上の動作を繰り返す。」（段落【００２４】〜【００３４】）
　
（チ）「【００４１】次に、図８のフローチャートでナビゲーションシステム３の動作について説明する。先ず、Ｓ６１でユーザから予約条件の設定指示がキーパネル３５で出されていないか否かを調べ、指示が出ていれば、Ｓ６２で予約条件の変更を行う。予約条件はＲＡＭ３７に予約条件データとして格納され、液晶表示装置３４に表示される項目に従ってキーパネル３５を操作することで距離優先か料金優先、予約内容確認の有無、料金の上限、距離の上限の設定ができる。予約条件を一度設定しておけば、以後はその条件で駐車場の予約が実行されるため、ユーザは少ない手間で駐車場の予約が実行できるようになる。
【００４２】予約条件の設定指示が出ていない場合は、Ｓ６３でユーザから目的地設定の指示が出ていないか否かを調べる。指示が出ていれば、Ｓ７３へ進んで目的地の設定動作に移り、指示が出ていなければＳ６４へ進む。Ｓ７３では、先ず、ＲＯＭ３６に格納されている駐車場管理ホスト１の電話番号でモデム３３を通じて携帯電話３０で電話を掛け、通信回線の接続要求を出す。そして、駐車場管理ホスト１と電話が繋がったら、Ｓ７４で通信回線を接続する。
【００４３】その後、Ｓ７５で予約条件データを目的地の位置データと共に駐車場管理ホスト１に送信して駐車場管理ホスト１に空き駐車場の検索を要求する。このＳ７５のステップは予約条件送信プログラム３６３によって行われる。そして、Ｓ７６で駐車場管理ホスト１が送信してくる空き駐車場の検索結果である駐車場データを受信する。このＳ７６のステップは駐車場データ受信プログラム３６４によって行われる。駐車場データには、駐車場の駐車場名、駐車場位置、その駐車場に設置されている駐車場端末２への電話番号、目的地からの距離、駐車料金が含まれており、該当する条件で空き駐車場が見つけられなかった場合にはこれらのデータは空白となる。Ｓ７７では受信した駐車場データを調べ、空白であればＳ８３へ進んで予約の取り消し指示を駐車場管理ホスト１に送信する。
【００４４】空白でなければＳ７８で、予約条件として予約条件データに予約内容の確認無しと設定されている場合にはＳ８０へ進んで予約実行となり、それ以外はユーザの承認を得るためにＳ７９へ進む。Ｓ７９では駐車場管理ホスト１から送信されて来た駐車場データが液晶表示装置３４に表示されユーザの承認待ちとなる。ここでユーザがキーパネル３５から承認の指示を出した場合には、Ｓ８０へ進んで予約実行となるが、取り消しを指示した場合には、Ｓ８３へ進んで予約の取り消し指示を駐車場管理ホスト１に送信する。
【００４５】Ｓ８０では予約実行指示を駐車場管理ホスト１に送信し、Ｓ８１で予約した駐車区画の番号と駐車場ホスト１が生成した暗証番号からなるコードである予約コードを受信する。そして、Ｓ８２で目的地を予約した駐車場に変更するため、設定されている目的地を駐車場データに含まれている駐車場位置に修正しＲＡＭ３７に格納する。このＳ８２のステップは駐車場位置設定プログラム３６１によって行われる。その後、Ｓ８４でモデム３３を使って携帯電話３０を切って通信回線を切断し、Ｓ６１に戻る。このようにしてナビゲーションシステム３は目的地を受信した駐車場位置に変更してそこへ車輌を誘導するため、ユーザはこの誘導に従って車輌を運転すれば、目的地近くの駐車場まで迷う事なく到達することができる。」（段落【００４１】〜【００４９】）
　
（リ）「【００５０】なお、本発明は上述した実施の形態に限られるものではなく、その要旨の範囲内で、様々な変更が可能である。例えば、ナビゲーションシステム３の携帯電話３０はＰＨＳやその他の移動体電話等の無線通信手段であってもよい。また、駐車場管理ホスト１、駐車場端末２、ナビゲーションシステム３は、ＲＯＭにあるプログラムをＣＰＵが読み出して動作するが、ハードディスク等の記憶装置を備え、そこに格納したプログラムを読み出して動作させてもよい。また、駐車場管理ホスト１は、駐車場端末２と専用回線で直接接続しているが、電話回線やその他のネットワーク回線で接続してもよい。また、駐車場端末２はナビゲーションシステム３と無線電話を使った電話回線で通信しているが、その他の無線ネットワーク回線で接続してもよい。」（段落【００５０】）
　
（ａ）上記摘記事項（ホ）には「ナビゲーションシステム３は（中略）ＧＰＳ装置３２がバス３９によって接続され」とあり、「また、バス３９にはモデム３３が接続されており、さらに、モデム３３には携帯電話３０が接続され、駐車場管理ホスト１との通信が可能になっており」とも記載されているから、引用例１には「ＧＰＳ内蔵ナビゲーションシステムと駐車場管理ホストが携帯電話回線を介して接続される」ことが記載されているといえる。
（ｂ）上記摘記事項（ト）には、「駐車場管理ホスト１は、Ｓ７でナビゲーションシステム３からの予約指示を受信し、予約指示が予約実行であれば、（中略）Ｓ１０でＲＡＭ１７へ格納した駐車場識別番号を持つ駐車場の駐車場端末２にインタフェース１８から暗証番号と共に予約の指示を送る。」とあり、上記摘記事項（ロ）には、「駐車場端末２と駐車場管理ホスト１とは専用回線で接続されており」とあるから、引用例１には「予約を受け付けることによってサービスを提供する駐車場端末と前記駐車場管理ホストが専用回線を介して接続される」ことが記載されているといえる。
（ｃ）上記摘記事項（ト）には「Ｓ４でナビゲーションシステム３から、空き駐車場を検索する条件となる目的地の位置と予約条件データとを受信する。」、「Ｓ２２へ進みハードディスク１４にある各駐車場の駐車料金を調べ、予約条件データの料金の上限以下のものだけをリストアップする。次に、Ｓ２３でリストアップした駐車場の位置と目的地の間の距離を計算し、Ｓ２４で距離が短い順に並べ替える。そして、Ｓ２５で順番に空き駐車区画数を調べ、空き駐車区画数が０でないものを探す。発見した場合、Ｓ２６で目的地と駐車場の間の距離と予約条件データの距離の上限とを比較し、距離の上限以内であれば、Ｓ３３でその駐車場の駐車場識別番号をＲＡＭ１７に格納して処理を終了する。」、「検索が終了すると、検索結果を図５のＳ６で検索結果をナビゲーションシステム３に送信する。送信内容は、ＲＡＭ１７へ格納した駐車場識別番号の付いている駐車場の駐車場名、駐車場位置、その駐車場に設置されている駐車場端末２の電話番号、目的地からの距離、駐車料金である」とあり、引用例１には、「前記ＧＰＳ内蔵ナビゲーションシステムから、目的地の位置情報とともに該ＧＰＳ内蔵ナビゲーションシステムにユーザにより入力された駐車場の予約の空きの検索要求が前記携帯電話回線を介して送られてくると、前記位置情報が示す位置に対し距離が近い駐車場の予約の空きを前記専用回線を介して収集し、前記駐車場の位置情報とともに前記携帯電話回線を介して前記ＧＰＳ内蔵ナビゲーションシステムに送る」ことが記載されているといえる。
（ｄ）上記摘記事項（ト）には「ナビゲーションシステム３は、（中略）検索結果をユーザに提示して、予約の承認を待つ。キーパネル３５からユーザが承認を伝えた場合、ナビゲーションシステム３は予約実行の指示を駐車場管理ホスト１に送信する。」、「駐車場管理ホスト１は、Ｓ７でナビゲーションシステム３からの予約指示を受信し（中略）Ｓ９で駐車場管理ホスト１は、乱数により４桁の数字を生成し、暗証番号とする。そして、Ｓ１０でＲＡＭ１７へ格納した駐車場識別番号を持つ駐車場の駐車場端末２にインタフェース１８から暗証番号と共に予約の指示を送る。駐車場端末２は、予約指示が送られてくると、後述の動作を行って空き駐車区画の番号を選択し、選択した駐車区画の番号を駐車場管理ホスト１に送信してくる。そのため、駐車場管理ホスト１は、Ｓ１１で駐車区画の番号を受信して、Ｓ１２でＲＡＭ１７にある駐車場識別番号の付けられている駐車場の空き駐車区画数を１つ減らし、Ｓ１３で駐車場端末２から送信されてきた駐車区画の番号に暗証番号を付けた予約コードをナビゲーションシステム３に送信する。」とあり、引用例１には「前記ＧＰＳ内蔵ナビゲーションシステムで前記予約の空きのある駐車場の情報をもとにユーザにより決められた前記駐車場の予約の承認結果が前記ＧＰＳ内蔵ナビゲーションシステムから前記携帯電話回線を介して送られてくると、前記駐車場管理ホストは、前記ＧＰＳ内蔵ナビゲーションシステムを識別して前記予約の承認結果にかかる前記予約の空きのある駐車場の予約コードを取得し、前記予約コードを前記携帯電話回線を介して前記ＧＰＳ内蔵ナビゲーションシステムに送信する」ことが記載されているといえる。
（ｅ）上記摘記事項（ト）には「ナビゲーションシステム３は目的地を受信した駐車場位置に変更してそこへ車輌を誘導するため、ユーザはこの誘導に従って車輌を運転すれば、目的地近くの駐車場まで迷う事なく到達することができる。」とあり、上記摘記事項（ヘ）にはナビゲーションシステムの液晶表示装置について「液晶表示装置３４はユーザの指示により地図や目的地への経路等が表示されるようになっている。」とも記載されているから、引用例１には「ＧＰＳ内蔵ナビゲーションシステムは、ＧＰＳ内蔵ナビゲーションシステムの現在の位置情報と予約先の駐車場の位置情報とをもとに、前記ＧＰＳ内蔵ナビゲーションシステムの現在位置から前記予約先の駐車場までの経路を表示する」ことが記載されているといえる。
　
　以上より、引用例１には、
　「ＧＰＳ内蔵ナビゲーションシステムと駐車場管理ホストが携帯電話回線を介して接続されると共に、予約を受け付けることによってサービスを提供する駐車場端末と前記駐車場管理ホストが専用回線を介して接続され、
　前記ＧＰＳ内蔵ナビゲーションシステムから、目的地の位置情報とともに該ＧＰＳ内蔵ナビゲーションシステムにユーザにより入力された駐車場の予約の空きの検索要求が前記携帯電話回線を介して送られてくると、前記位置情報が示す位置に対し距離が近い駐車場の予約の空きを前記専用回線を介して収集し、前記駐車場の位置情報とともに前記携帯電話回線を介して前記ＧＰＳ内蔵ナビゲーションシステムに送り、
　前記ＧＰＳ内蔵ナビゲーションシステムで前記予約の空きのある駐車場の情報をもとにユーザにより決められた前記駐車場の予約の承認結果が前記ＧＰＳ内蔵ナビゲーションシステムから前記携帯電話回線を介して送られてくると、前記駐車場管理ホストは、前記ＧＰＳ内蔵ナビゲーションシステムを識別して前記予約の承認結果にかかる前記予約の空きのある駐車場の予約コードを取得し、前記予約コードを前記携帯電話回線を介して前記ＧＰＳ内蔵ナビゲーションシステムに送信し、
　前記ＧＰＳ内蔵ナビゲーションシステムは、前記ＧＰＳ内蔵ナビゲーションシステムの現在の位置情報と前記予約先の駐車場の位置情報とをもとに、、前記ＧＰＳ内蔵ナビゲーションシステムの現在位置から前記予約先の駐車場までの経路を表示する携帯電話回線を利用した予約サービス提供方法。」
　との発明（以下「引用例発明」という。）が記載されている。
　
（１−２）引用例２
　当審の拒絶の理由において引用された特開平７−３０１５４３号公報（以下、「引用例２」という。）には、図面とともに、下記の事項が記載されている。
　
（ヌ）「【請求項１】車両に搭載されて用いられ、車両の現在地を地図上に重ねて表示することにより、車両の走行支援を行わせる装置であって、
車両の現在地座標を検出する車両位置検出手段と、
駐車場情報を入力するための駐車場情報入力手段と、
駐車場を検索するための駐車場検索キーと、
上記駐車場検索キーが操作されて駐車場の検索が行われると、上記車両位置検出手段により検出された車両の現在地座標と、上記駐車場情報入力手段により入力された駐車場情報から得られる駐車場の座標とから、車両の現在地と当該駐車場との距離を計算する距離計算手段と、
上記距離計算手段により計算された車両の現在地から駐車場までの距離と、上記駐車場情報入力手段により入力された駐車場情報から得られる当該駐車場状況とに基づいて駐車場情報をユーザに知らせる順序を決定する報知順序決定手段と、上記報知順序決定手段により決定された順序に基づいて駐車場情報を報知する報知手段とを含むことを特徴するナビゲーション装置。」（請求項１）
　
（ル）「【０００４】
【発明が解決しようとする課題】しかし、従来のナビゲーション装置のうち、例えば上記特開平１−１７３８２２号公報および特開平４−１４２４２１号公報で示されているナビゲーション装置では、目的地付近の駐車場情報を表示することができるが、現在地周辺の駐車場についてはわからない。そのため、目的地を設定していないときや、目的地から離れた場所での自車の周囲の駐車場状況を知ることができない。
【０００５】また、駐車場の方向が示されないので、目的地と駐車場とが離れている場合、その駐車場がどちらの方向にあるかを調べる必要がある。本発明は、上記技術的課題に鑑みなされたもので、受信した駐車場情報を車両の現在地からの距離と駐車場状況とに基づき、現在地から近くで駐車に適している駐車場を優先して操作者に報知するようにして、操作者の必要なときに駐車場情報を的確に与えることができるナビゲーション装置の提供を目的とする。」（段落【０００４】〜【０００５】）
　
（２）対比
　本願発明と引用例発明とを対比する。
　
（ａ）引用例発明における「ＧＰＳ内蔵ナビゲーションシステム」は携帯端末ではないものの、引用例発明における「ＧＰＳ内蔵ナビゲーションシステム」と、本願発明における「ＧＰＳ内蔵携帯端末」は、「ＧＰＳ内蔵端末」である点で共通する。
（ｂ）引用例発明における「駐車場管理ホスト」、「携帯電話回線」、「専用回線」、「距離が近い」、「予約の空き」、「検索要求」、「予約の承認結果」、「予約コード」は、本願発明における「予約センタ」、「移動網」、「ネットワーク」、「直近」、「予約状況」、「取得要求」、「予約要求決定内容」、「予約結果」に相当する。
（ｃ）本願発明の「予約受け入れ先」は、予約センタとネットワークを介して接続される装置という意味で用いられている箇所と、サービスを提供する場所という意味で用いられている箇所があるが、前者の場合、引用例発明の「駐車場端末」が本願発明の「予約受け入れ先」に相当し、後者の場合は、引用例発明の「駐車場」が本願発明の「予約受け入れ先」に相当する。
（ｄ）引用例発明の「目的地の位置情報」と、本願発明の「ＧＰＳ内蔵携帯端末が取得した該ＧＰＳ内蔵携帯端末の現在の位置情報」は、少なくともＧＰＳ内蔵携帯端末から送られ、予約受け入れ先の予約受け入れ状況を収集する基準となる「位置情報」である点で共通する。
（ｅ）引用例発明は、位置情報に対し直近の予約受け入れ先の予約状況を収集し、収集した情報を、予約受け入れ先の位置情報とともにＧＰＳ内蔵端末に送るものであるのに対して、本願発明は位置情報に対し直近の予約受け入れ先の予約受け入れ状況を収集し、収集した情報を、そのままＧＰＳ内蔵端末へ送っているものであるが、両者は「位置情報が示す位置に直近の予約受け入れ先の予約状況を収集し、ＧＰＳ内蔵端末に送って」いる点で共通する。
　
　そうすると、両者は、
「ＧＰＳ内蔵端末と予約センタとが移動網を介して接続されると共に、予約を受け付けることによってサービスを提供する予約受け入れ先と前記予約センタとがネットワークを介して接続され、
　前記ＧＰＳ内蔵端末から、位置情報とともに前記ＧＰＳ内蔵端末にユーザにより入力された予約受け入れ先の予約状況の取得要求が送られてくると、前記予約センタは、前記位置情報が示す位置に対し直近の予約受け入れ先の予約状況を前記ネットワークを介して収集し前記移動網を介して前記ＧＰＳ内蔵端末に送り、
　前記ＧＰＳ内蔵端末で前記予約状況をもとにユーザにより決められて入力された予約要求決定内容が前記ＧＰＳ内蔵端末から送られてくると、前記ＧＰＳ内蔵端末を識別して前記予約要求決定内容にかかる予約受け入れ先の予約結果を取得し、前記取得した予約結果を前記ＧＰＳ内蔵端末へ送り、
　前記ＧＰＳ内蔵端末において、該ＧＰＳ内蔵端末の現在の位置情報と前記予約受け入れ先の位置情報とをもとに、該ＧＰＳ内蔵端末の現在位置から前記予約受け入れ先までの経路を表示する移動網を利用した予約サービス提供方法。」である点で一致し、以下の点で相違する。
　
［相違点１］
　本願発明のＧＰＳ内蔵端末は、携帯可能なものであるのに対して、引用例発明のＧＰＳ内蔵端末は、携帯可能なものではない点。
　
［相違点２］
　本願発明の位置情報は、「ＧＰＳ内蔵携帯端末が取得した該ＧＰＳ内蔵端末の現在の位置情報」であり、「現在位置」に対し直近の予約受け入れ先の予約受け入れ状況の収集を行うものであるのに対して、引用例発明の位置情報は、「目的地の位置情報」であり、「目的地の位置」に対し直近の駐車場の予約の空きの収集を行うものである点。
　
［相違点３］
　本願発明が、「予約受け入れ先の位置情報」を「予約結果」を送るタイミングで送るものであるのに対して、引用例発明は、「予約受け入れ先の位置情報」を「予約状況」を送るタイミングで送るものである点。
　
（３）相違点についての判断
　
　上記［相違点１］ないし［相違点３］について検討する。
　
（３−１）［相違点１］について
　本件出願当時、ＧＰＳを内蔵した携帯端末を用いて、経路案内等のナビゲーションを行うことは周知事項（必要であれば、「“mmm REPORT2 携帯電話がタウンナビゲータに”、mobile media magazine、株式会社シーメディア、2000年2月13日,第8巻,第3号,p.52-53」を参照。）であり、引用例発明の「ＧＰＳ内蔵ナビゲーションシステム」を携帯可能な構成とすることも当業者が容易に想到し得た事項である。
　
（３−２）［相違点２］について
　引用例２の摘記事項（ヌ）及び（ル）にあるように、引用例２には従来のナビゲーション装置では目的地付近の駐車場の検索しかできなかったため、現在地周辺の駐車場を検索できるようにすることを課題として、ナビゲーション装置の現在地情報に基づいて近くの駐車場情報を提供するという技術が記載されている。引用例発明と引用例２記載の技術はカーナビゲーションという共通の技術分野において駐車場を検索するという共通の技術課題を有するものであり、引用例発明において引用例２記載の技術を適用し、予約を行うための最初要求とともに送られる情報として、「目的地の位置情報」に換えて「ＧＰＳ内蔵ナビゲーションシステムの現在位置情報」を送るようにし、「ＧＰＳ内蔵ナビゲーションシステムの現在位置情報」から直近の予約受け入れ先の予約状況を収集するようにすることも当業者が容易に想到し得た事項である。
　
（３−３）［相違点３］について
　引用例発明及び本願発明は、ともに、「予約受け入れ先」までの経路を表示するために、「予約受け入れ先の位置情報」を送るものであり、引用例発明において、「予約受け入れ先の位置情報」を送るタイミングとしては、「予約状況」を送るタイミングで送るか、「予約結果」を送るタイミングで送るかは、当業者であれば適宜選択可能なものにすぎない。
　してみると、引用例発明において、「予約受け入れ先の位置情報」を、「予約結果」を送るタイミングで送るようにすることも当業者が容易に想到し得た事項である。
　
　そして、本願発明の作用効果も、引用例１に記載された発明、引用例２及び周知技術から当業者が容易に予測できる範囲のものである。 
　したがって、本願発明は、引用例１に記載された発明、引用例２及び周知技術に基づいて、当業者が容易に発明をすることができたものである。 
　
４．むすび
　以上のとおり、本願発明は、引用例１に記載された発明、引用例２及び周知技術に基づいて、当業者が容易に発明することができたものであるので、特許法第２９条第２項の規定により特許を受けることができない。
　よって、結論のとおり審決する。